(57)【要約】【課題】ドライバビリティを向上することができるベルト式無段変速機を提供する。【解決手段】挟圧力発生油圧室５４から作動油を排出する方向に開弁可能な作動油供給排出弁１１０と、駆動油圧室１２４の作動油の油圧によりピストン１２２を移動させることで、作動油供給排出弁１１０を挟圧力発生油圧室５４に作動油を供給する方向に閉弁可能なアクチュエータ１２０と、挟圧力発生油圧室５４に供給される作動油の油圧である供給油圧及び駆動油圧室１２４の作動油の油圧である駆動油圧を制御する油圧制御手段１３０とを備え、油圧制御手段１３０は、車両の速度が予め設定される所定速度以下となった際に、駆動油圧を増圧することでアクチュエータ１２０により作動油供給排出弁１１０を閉弁させる。【選択図】図２−１
2010065759.tif 000002
【特許請求の範囲】
【請求項１】
車両に搭載される２つのプーリと、
前記各プーリに巻き掛けられ、駆動源からの駆動力を伝達するベルトと、
前記各プーリに形成され、油圧により前記ベルトに対してベルト挟圧力を発生する挟圧力発生油圧室と、
一方の前記挟圧力発生油圧室に作動油を供給および当該一方の挟圧力発生油圧室から作動油を排出する供給排出経路と、
前記供給排出経路に設けられ前記一方の挟圧力発生油圧室から作動油を排出する方向に開弁可能な作動油供給排出弁と、
駆動油圧室の作動油の油圧によりピストンを移動させることで、前記作動油供給排出弁を前記一方の挟圧力発生油圧室に作動油を供給する方向に閉弁可能なアクチュエータと、
前記２つのプーリの回転速度比である変速比を検出可能な変速比検出手段と、
前記一方の挟圧力発生油圧室に供給される前記作動油の油圧である供給油圧及び前記駆動油圧室の前記作動油の油圧である駆動油圧を制御し、前記駆動油圧を減圧することで前記作動油供給排出弁を開弁させ前記一方の挟圧力発生油圧室に作動油を供給、あるいは当該一方の挟圧力発生油圧室から作動油を排出して前記変速比検出手段により検出される変速比を目標の変速比に変更する一方、前記駆動油圧を増圧することで前記アクチュエータにより前記作動油供給排出弁を閉弁させ前記変速比を固定する油圧制御手段とを備え、
前記油圧制御手段は、前記車両の速度が予め設定される所定速度以下となった際に、前記駆動油圧を増圧することで前記アクチュエータにより前記作動油供給排出弁を閉弁させることを特徴とする、
ベルト式無段変速機。
【請求項２】
前記車両の速度が予め設定される所定速度以下となった際、前記車両が停止する際の制動力が予め設定される所定制動力より大きい場合、又は、前記変速比検出手段によって検出される変速比が予め設定される所定変速比より小さい場合に、前記油圧制御手段を制御して前記作動油供給排出弁の閉弁を禁止する禁止手段を備えることを特徴とする、
請求項１に記載のベルト式無段変速機。
【発明の詳細な説明】
【技術分野】
【０００１】
本発明は、ベルト式無段変速機に関するものである。
【背景技術】
【０００２】
一般に、車両には、駆動源である内燃機関や電動機からの駆動力、すなわち出力トルクを車両の走行状態に応じた最適の条件で路面に伝達するために、駆動源の出力側に変速機が設けられている。変速機には、変速比を無段階（連続的）に制御する無段変速機と、変速比を段階的（不連続）に制御する有段変速機とがある。ここで、無段変速機には、２つのプーリ、すなわち駆動源からの駆動力が伝達されるプライマリプーリおよびプライマリプーリに伝達された出力トルクを変化させて出力するセカンダリプーリと、プライマリプーリに伝達された駆動力をセカンダリプーリに伝達するベルトとにより構成されるベルト式無段変速機がある。このプライマリプーリおよびセカンダリプーリは、平行に配置された２つのプーリ軸であるプライマリシャフトとセカンダリシャフトと、各シャフト上を軸方向にそれぞれ摺動する２つの可動シーブ（プライマリ可動シーブ、セカンダリ可動シーブ）と、２つの可動シーブに軸方向においてそれぞれ対向するとともに可動シーブとの間でＶ字形状の溝を形成する２つの固定シーブ（プライマリ固定シーブ、セカンダリ固定シーブ）と、ベルトに対してベルト挟圧力を発生する挟圧力発生油圧室とにより構成されている。なお、ベルトは、プライマリプーリおよびセカンダリプーリのそれぞれに形成されるＶ字形状の溝に巻き掛けられている。
【０００３】
ベルト式無段変速機は、各挟圧力発生油圧室によりそれぞれの可動シーブが各シャフト上をその軸方向に摺動し、プライマリプーリおよびセカンダリプーリのそれぞれに形成されるＶ字形状の溝の幅を変化させる。これにより、ベルトと、プライマリプーリおよびセカンダリプーリとの接触半径を無段階に変化させ、プライマリプーリとセカンダリプーリとの回転数比である変速比を無段階に変化するものである。つまり、駆動源からの出力トルクを無段階に変化させるものである。
【０００４】
このようなベルト式無段変速機は、変速比を固定する変速比固定時には、ベルトの接触半径が変化しないように、可動シーブの軸方向への移動を規制することとなる。この場合、例えば、特許文献１に記載されているベルト式無段変速機は、可動シーブが軸方向に摺動しないように挟圧力発生油圧室の油圧を一定に保持している。すなわち、特許文献１に記載されているベルト式無段変速機では、挟圧力発生油圧室への作動油の供給および挟圧力発生油圧室からの作動油の排出を行う供給排出経路と、挟圧力発生油圧室との間に作動油供給排出弁を設け、作動油供給排出弁を開弁し挟圧力発生油圧室に作動油を供給、あるいは挟圧力発生油圧室から作動油を排出することで実際の変速比である実変速比を目標変速比に変更する一方、作動油供給排出弁を閉弁することで変速比を固定している。
【０００５】
【特許文献１】特開２００６−３００２７０号公報
【発明の開示】
【発明が解決しようとする課題】
【０００６】
ところで、上述のような特許文献１に記載されているベルト式無段変速機では、ベルト式無段変速機を搭載した車両の速度が低下しプーリの回転数が低下した場合に、例えば、パルス式の回転センサによって検出されるプライマリプーリとセカンダリプーリとの回転数の検出精度が低下しこの回転数に基づいた実変速比の検出精度が低下することで、例えば、変速比制御の精度が低下しドライバビリティが低下するおそれがあった。
【０００７】
そこで、本発明は、ドライバビリティを向上することができるベルト式無段変速機を提供することを目的とする。
【課題を解決するための手段】
【０００８】
上記目的を達成するために、本発明によるベルト式無段変速機は、車両に搭載される２つのプーリと、前記各プーリに巻き掛けられ、駆動源からの駆動力を伝達するベルトと、前記各プーリに形成され、油圧により前記ベルトに対してベルト挟圧力を発生する挟圧力発生油圧室と、一方の前記挟圧力発生油圧室に作動油を供給および当該一方の挟圧力発生油圧室から作動油を排出する供給排出経路と、前記供給排出経路に設けられ前記一方の挟圧力発生油圧室から作動油を排出する方向に開弁可能な作動油供給排出弁と、駆動油圧室の作動油の油圧によりピストンを移動させることで、前記作動油供給排出弁を前記一方の挟圧力発生油圧室に作動油を供給する方向に閉弁可能なアクチュエータと、前記２つのプーリの回転速度比である変速比を検出可能な変速比検出手段と、前記一方の挟圧力発生油圧室に供給される前記作動油の油圧である供給油圧及び前記駆動油圧室の前記作動油の油圧である駆動油圧を制御し、前記駆動油圧を減圧することで前記作動油供給排出弁を開弁させ前記一方の挟圧力発生油圧室に作動油を供給、あるいは当該一方の挟圧力発生油圧室から作動油を排出して前記変速比検出手段により検出される変速比を目標の変速比に変更する一方、前記駆動油圧を増圧することで前記アクチュエータにより前記作動油供給排出弁を閉弁させ前記変速比を固定する油圧制御手段とを備え、前記油圧制御手段は、前記車両の速度が予め設定される所定速度以下となった際に、前記駆動油圧を増圧することで前記アクチュエータにより前記作動油供給排出弁を閉弁させることを特徴とする。
【発明の効果】
【０００９】
本発明に係るベルト式無段変速機によれば、車両の速度が予め設定される所定速度以下となった際に、変速比を固定でき、ドライバビリティを向上することができる。
【発明を実施するための最良の形態】
【００１０】
以下、本発明につき図面を参照しつつ詳細に説明する。なお、下記の実施形態により、本発明が限定されるものではない。また、下記実施形態における構成要素には、当業者が容易に想定できるものあるいは実質的に同一のものが含まれる。ここで、下記の実施形態におけるベルト式無段変速機に伝達される駆動力を発生する駆動源として内燃機関（ガソリンエンジン、ディーゼルエンジン、ＬＰＧエンジンなど）を用いるが、これに限定されるものではなく、モータなどの電動機を駆動源として用いても良い。また、下記の実施形態では、一方のプーリをプライマリプーリとし、他方のプーリをセカンダリプーリとするが、一方のプーリをセカンダリプーリとし、他方のプーリをプライマリプーリとしても良い。
【００１１】
（実施形態１）
図１は、本発明の実施形態１に係るベルト式無段変速機を搭載する車両の概略構成図、図２−１及び図２−２は、本発明の実施形態１に係るベルト式無段変速機のプライマリプーリの概略構成を示す模式的断面図、図３は、本発明の実施形態１に係るベルト式無段変速機の油圧制御装置の概略構成を模式的に示す概念図である。
【００１２】
図１に示すように、車両１０の動力伝達機構は、内燃機関１２と、トルクコンバータ１６と、前後進切換機構２０と、ベルト式無段変速機２２と、減速装置２４と、差動装置２８とを備える。
【００１３】
内燃機関１２は、円筒形状に形成されるシリンダの中心軸方向にピストンが往復運動し、前記ピストンの往復運動を回転運動に変換するクランクシャフト１４から回転を出力する。なお、内燃機関１２は、ピストンとシリンダとを備えるいわゆるレシプロ式の内燃機関に限定されない。内燃機関１２は、回転力を出力できるものであればよく、例えば、ロータリー式の内燃機関であってもよい。
【００１４】
トルクコンバータ１６は、流体クラッチの一種であり、作動油により、内燃機関１２から取り出された回転を前後進切換機構２０に伝える。また、トルクコンバータ１６は、内燃機関１２から取り出されたトルクを増幅する。
【００１５】
前後進切換機構２０は、トルクコンバータ１６から取り出された回転をベルト式無段変速機２２に伝える機構であり、必要に応じてトルクコンバータ１６から取り出した回転の方向を切り替えてベルト式無段変速機２２に伝達する。
【００１６】
ベルト式無段変速機２２は、前後進切換機構２０から入力される回転の回転速度（回転数）を所望の回転速度（回転数）に変更して出力する。なお、ベルト式無段変速機２２の詳細な説明は後述する。
【００１７】
減速装置２４は、ベルト式無段変速機２２からの回転の回転速度を減速して差動装置２８に前記回転を伝える。
【００１８】
差動装置２８は、車両１０が旋回する際に生じる旋回の中心側、つまり内側の駆動輪３４と、外側の駆動輪３４との回転速度の差を吸収する。
【００１９】
上記構成要素によって車両１０の動力伝達機構は形成される。すなわち、内燃機関１２から取り出された回転は、クランクシャフト１４を介してトルクコンバータ１６に伝えられる。トルクコンバータ１６によってトルクが増幅された回転は、トルクコンバータ１６のインプットシャフト１８を介して前後進切換機構２０に伝えられる。
【００２０】
前後進切換機構２０によって回転方向が切り替えられた回転は、入力側のシャフトとしてのプライマリシャフト５１を介してベルト式無段変速機２２に伝えられる。ベルト式無段変速機２２によって、回転速度を変更された回転は、減速装置２４に伝えられる。
【００２１】
減速装置２４によって減速された回転は、減速装置２４のファイナルドライブピニオン２６と、ファイナルドライブピニオン２６に噛み合う差動装置２８のリングギヤ３０とを介して差動装置２８に伝えられる。
【００２２】
差動装置２８に伝えられた回転は、ドライブシャフト３２に伝達される。ドライブシャフト３２の差動装置２８側とは反対側には、駆動輪３４が取り付けられる。ドライブシャフト３２に伝えられた回転は駆動輪３４に伝達される。これにより、駆動輪３４は回転し、駆動輪３４が路面に前記回転を伝達することにより車両１０は走行する。
【００２３】
ベルト式無段変速機２２は、２つのプーリ、すなわち、一方のプーリとしてのプライマリプーリ５０及び他方のプーリとしてのセカンダリプーリ６０と、ベルト８０とを含んで構成される。また、このベルト式無段変速機２２は、さらに、切換機構１００（図２−１参照）と、油圧制御手段としての油圧制御装置１３０（図３参照）とを備える。
【００２４】
ベルト式無段変速機２２は、プライマリプーリ５０に回転が入力される。プライマリプーリ５０に入力された回転は、ベルト８０を介してセカンダリプーリ６０に伝えられる。この時、前記回転は、その回転速度（回転数）を調整される。
【００２５】
セカンダリプーリ６０に伝えられた回転は、減速装置２４に伝えられる。なお、入力軸であるプライマリシャフト５１の回転速度を出力側のシャフトとしてのセカンダリシャフト６１の回転速度で除算した値を変速比という。つまり、変速比は、プライマリシャフト５１とセカンダリシャフト６１との回転速度比に相当する。
【００２６】
プライマリプーリ５０は、プライマリシャフト５１と、プライマリ固定シーブ５２と、プライマリ可動シーブ５３と、挟圧力発生油圧室としてのプライマリ油圧室５４とを備える。一方、セカンダリプーリ６０は、セカンダリシャフト６１と、セカンダリ固定シーブ６２と、セカンダリ可動シーブ６３と、挟圧力発生油圧室としてのセカンダリ油圧室６４とを備える。プライマリシャフト５１は、軸受８１、軸受８２によってインプットシャフト１８の回転軸と同軸上に回転可能に支持される。セカンダリシャフト６１は、軸受８３、軸受８４によってプライマリシャフト５１に対して平行に回転可能に支持される。
【００２７】
なお、このベルト式無段変速機２２は、このプライマリプーリ５０とセカンダリプーリ６０とがほぼ同様に構成される。よって、本実施形態では、プライマリプーリ５０を主に説明し、セカンダリプーリ６０の説明はできるだけ省略する。
【００２８】
プライマリプーリ５０は、図２−１及び図２−２に示すように、上述のプライマリシャフト５１、プライマリ固定シーブ５２、プライマリ可動シーブ５３及びに加え、さらに、スプライン５５と、プライマリ隔壁５６とを備える。
【００２９】
プライマリシャフト５１は、筒状に形成される。プライマリシャフト５１は、軸受８１、軸受８２によって回転軸線ＲＬを回転中心として回転可能に支持されている。
【００３０】
プライマリ固定シーブ５２は、通常は、プライマリシャフト５１と一体に形成される。したがって、プライマリ固定シーブ５２は、回転軸線ＲＬを軸にプライマリシャフト５１と一体に回転する。ここで、回転軸線ＲＬと直交する方向を径方向という。プライマリ固定シーブ５２は、プライマリシャフト５１の外周から径方向外側に突出して形成される。なお、プライマリ固定シーブ５２は、プライマリシャフト５１とは別個に形成され、プライマリシャフト５１に固定して設けられてもよい。
【００３１】
プライマリ可動シーブ５３は、プライマリシャフト５１とは別個に形成される。プライマリ可動シーブ５３は、プライマリシャフト５１が嵌め込まれる貫通孔を有して形成される。前記貫通孔の内周面には、スプライン５５が形成される。プライマリ可動シーブ５３は、スプライン５５を介してプライマリシャフト５１に嵌め込まれて取り付けられる。プライマリ可動シーブ５３は、回転軸線ＲＬに沿った方向、すなわち、軸方向に対してプライマリ固定シーブ５２と対向してプライマリシャフト５１に嵌め込まれる。
【００３２】
スプライン５５は、プライマリ可動シーブ５３がプライマリシャフト５１上を回転軸線ＲＬに沿って摺動できるようにプライマリ可動シーブ５３を支持する。加えて、スプライン５５は、プライマリシャフト５１からプライマリ可動シーブ５３へ回転軸線ＲＬを回転中心とする回転を伝達する。よって、プライマリ可動シーブ５３は、スプライン５５を介してプライマリシャフト５１に支持されることで、プライマリシャフト５１上を軸方向に移動可能かつプライマリシャフト５１と一体回転となる。
【００３３】
プライマリ固定シーブ５２とプライマリ可動シーブ５３との間には、略Ｖ字形状のプライマリ溝８０ａが形成される。また、プライマリ可動シーブ５３がプライマリシャフト５１上を摺動することにより、プライマリ固定シーブ５２とプライマリ可動シーブ５３との距離が変化する。ここで、セカンダリプーリ６０（図１参照）にも、プライマリ溝８０ａと同様のセカンダリ溝８０ｂ（図１参照）が形成される。
【００３４】
プライマリ溝８０ａとセカンダリ溝８０ｂとの間には、金属製の無端ベルトであるベルト８０が巻き掛けられている。ベルト８０は、プライマリプーリ５０の回転をセカンダリプーリ６０へ伝達する。
【００３５】
プライマリ油圧室５４は、プライマリシャフト５１と、プライマリ可動シーブ５３と、プライマリ隔壁５６とによって囲まれて形成される空間部である。プライマリ隔壁５６は、貫通孔を有して形成される。プライマリ隔壁５６は、前記貫通孔にプライマリシャフト５１が嵌め込まれてプライマリシャフト５１に設けられる。プライマリ隔壁５６は、プライマリ可動シーブ５３を境にして、プライマリ固定シーブ５２側とは反対側に設けられる。
【００３６】
プライマリ油圧室５４は、プライマリ油圧室５４に供給される作動油により、プライマリ可動シーブ５３に対してプライマリ固定シーブ５２側への押圧力を作用させる。これにより、プライマリ可動シーブ５３は、プライマリシャフト５１に沿って、プライマリ固定シーブ５２側へ押される。したがって、プライマリ油圧室５４は、プライマリ溝８０ａに巻き掛けられるベルト８０に対してプライマリ可動シーブ５３を介してベルト挟圧力を作用させることができる。
【００３７】
プライマリ油圧室５４によりプライマリ可動シーブ５３が移動され、プライマリ可動シーブ５３とプライマリ固定シーブ５２との距離が変化すると、セカンダリプーリ６０が備えるセカンダリ固定シーブ６２とセカンダリ可動シーブ６３との距離もベルト８０の張力を一定に保つように変化する。これにより、プライマリプーリ５０に対するベルト８０の接触半径と、セカンダリプーリ６０に対するベルト８０の接触半径とが変化する。このようにして、ベルト式無段変速機２２は、内燃機関１２から取り出された回転を変速することができる。
【００３８】
ここで、プライマリシャフト５１は、第１油路８６を有する。第１油路８６は、プライマリ油圧室５４に作動油を供給およびプライマリ油圧室５４から作動油を排出する供給排出経路の一部をなす。第１油路８６は、一方の端部が後述する切換機構１００に接続され、他方の端部がプライマリ油圧室５４に接続されている。これにより、第１油路８６は、切換機構１００とプライマリ油圧室５４との間で作動油を流すことができる。なお、この第１油路８６は、プライマリシャフト５１の回転軸線ＲＬに沿う方向に形成される軸方向油路８８と、回転軸線ＲＬと直交する方向に形成される径方向油路９０とを含んで形成される。
【００３９】
切換機構１００は、プライマリ油圧室５４と後述する油圧制御装置１３０との間の作動油の流路に配置され、プライマリ油圧室５４と後述する油圧制御装置１３０との間で作動油の流通が可能な状態と、流通が禁止された状態とを切り替えるものである。つまり、切換機構１００は、図２−１に示すようにプライマリ油圧室５４と油圧制御装置１３０とが連通された状態と、図２−２に示すようにプライマリ油圧室５４と油圧制御装置１３０とが遮断された状態とを切り換える。この切換機構１００は、第２油路１０２と、作動油供給排出弁１１０と、アクチュエータ１２０とを有する。
【００４０】
第２油路１０２は、プライマリ油圧室５４に作動油を供給およびプライマリ油圧室５４から作動油を排出する供給排出経路の一部をなす。第２油路１０２は、一方の端部が第１油路８６と接続されており、他方の端部が後述する油圧制御装置１３０のプライマリ油圧室用制御装置１３５と接続されている。また、第２油路１０２と第１油路８６とは、第１油路８６が回転しても第２油路１０２は回転しないように、例えばロータリージョイントで連結されている。
【００４１】
作動油供給排出弁１１０は、供給排出経路の一部をなす第２油路１０２に設けられ、第２油路１０２においてプライマリ油圧室５４から作動油を排出する方向、すなわち、プライマリ油圧室５４側（第１油路８６側）から油圧制御装置１３０側に向かって開弁可能なものである。作動油供給排出弁１１０は、弁座部１１２と、弁体１１４とを有する。
【００４２】
弁座部１１２は、第２油路１０２においてプライマリ油圧室５４側（第１油路８６側）から油圧制御装置１３０側に向かうにしたがって流路面積が大きくなるようなテーパ面として形成される。つまり、弁座部１１２は、第２油路１０２を形成する内壁面と連続しており、プライマリ油圧室５４側（第１油路８６側）に向かうに伴い、径方向内側に向かって傾斜するテーパ面である。
【００４３】
弁体１１４は、弁座部１１２の第１油路８６側の端部の開口内径よりも直径が大きい球状の部材である。弁体１１４は、第２油路１０２において弁座部１１２の油圧制御装置１３０側に配置され、弁座部１１２に対して接近、離間可能である。
【００４４】
したがって、作動油供給排出弁１１０は、弁体１１４が第２油路１０２においてプライマリ油圧室５４に作動油を供給する方向に移動し弁座部１１２に接近して、弁体１１４と弁座部１１２とが接触することで閉弁状態となる。作動油供給排出弁１１０は、弁体１１４が第２油路１０２においてプライマリ油圧室５４から作動油を排出する方向に移動し弁座部１１２から離間して、弁体１１４と弁座部１１２とが非接触となることで開弁状態となる。
【００４５】
アクチュエータ１２０は、作動油供給排出弁１１０をプライマリ油圧室５４に作動油を供給する方向に強制的に閉弁可能なものである。アクチュエータ１２０は、ピストン１２２と、駆動油圧室１２４と、付勢手段としてのスプリング１２６とを有する。
【００４６】
ピストン１２２は、受圧部１２２ａと、棒状部１２２ｂとを有する。受圧部１２２ａは、板状部材であり、後述する駆動油圧室１２４の内部に配置され、駆動油圧室１２４内の作動油の油圧による押圧力が作用する。棒状部１２２ｂは、一方の端部が受圧部１２２ａに固定され、他方の端部が弁体１１４に固定されている。
【００４７】
駆動油圧室１２４は、油圧室壁面により区画され作動油が供給される空間部であり、上述したように内部にピストン１２２の受圧部１２２ａが配置されている。駆動油圧室１２４は、内部の空間部分の受圧部１２２ａの表面に平行な面の面積が、受圧部１２２ａの面積と略同一となる形状である。また、駆動油圧室１２４は、駆動油圧室用制御装置１３６と接続され、駆動油圧室用制御装置１３６から作動油が供給、排出される。駆動油圧室１２４は、内部に作動油が供給されることで、作動油の油圧により受圧部１２２ａに押圧力を作用させこの受圧部１２２ａを弁座部１１２側に押し出す。したがって、駆動油圧室１２４内の作動油の油圧により受圧部１２２ａが押されることで、ピストン１２２が弁座部１１２側に移動し、弁体１１４がこのピストン１２２と共に弁座部１１２側に移動する。
【００４８】
スプリング１２６は、例えば、コイルばねであり、受圧部１２２ａの棒状部１２２ｂが固定されている面（すなわち、油圧が作用する面とは反対側の面）と、この面と対面する駆動油圧室１２４の油圧室壁面との間に配置されている。スプリング１２６は、受圧部１２２ａを弁座部１１２から離間する側に付勢している。
【００４９】
上記のように構成される切換機構１００は、駆動油圧室１２４に作動油が供給され、内部の作動油の油圧により受圧部１２２ａが弁座部１１２側に押し出される。ここで、駆動油圧室１２４の内部の作動油の油圧が一定以上となると、図２−２に示すように、受圧部１２２ａが弁座部１１２側に一定距離移動され、弁体１１４が弁座部１１２の開口を塞ぐ。つまり、作動油供給排出弁１１０は、弁体１１４が第２油路１０２においてプライマリ油圧室５４に作動油を供給する方向に移動し弁座部１１２に接近して、弁体１１４と弁座部１１２とが接触することで閉弁状態となり、プライマリ油圧室５４と油圧制御装置１３０との連通が遮断された状態となる。これにより、プライマリ油圧室５４に作動油が閉じ込められた状態となり、基本的には、プライマリ油圧室５４の内部に作動油を供給することも、プライマリ油圧室５４の内部から作動油を排出することもできず、プライマリ油圧室５４の内部の作動油の量が変化しない状態となる。
【００５０】
一方、駆動油圧室１２４内の作動油の油圧が一定以下の場合は、図２−１に示すように、スプリング１２６により受圧部１２２ａが弁座部１１２から離間する側に押され、弁体１１４と弁座部１１２の開口との間に空間ができる。つまり、作動油供給排出弁１１０は、弁体１１４が第２油路１０２においてプライマリ油圧室５４から作動油を排出する方向に移動し弁座部１１２から離間して、弁体１１４と弁座部１１２とが非接触となることで開弁状態となり、プライマリ油圧室５４と油圧制御装置１３０とが連通した状態となる。これにより、プライマリ油圧室５４の内部に作動油を供給することができ、また、プライマリ油圧室５４の内部から作動油を排出することができる状態となる。
【００５１】
油圧制御装置１３０は、油圧制御手段であり、ベルト式無段変速機２２および内燃機関１２が搭載されている車両１０において作動油の供給を必要とする作動油供給部分に作動油を供給するものである。油圧制御装置１３０は、一方の挟圧力発生油圧室であるプライマリ油圧室５４に対する作動油の供給排出を制御し、かつ、他方の挟圧力発生油圧室であるセカンダリ油圧室６４に対する作動油の供給排出を制御するものである。油圧制御装置１３０は、プライマリ油圧室５４およびセカンダリ油圧室６４のそれぞれに供給される作動油の油圧である供給油圧を制御するものでもある。油圧制御装置１３０は、アクチュエータ１２０により強制的に作動油供給排出弁１１０が開弁されると、一方の挟圧力発生油圧室であるプライマリ油圧室５４に作動油を供給、あるいはプライマリ油圧室５４から作動油を排出することで変速比を制御するものである。また、本実施形態の油圧制御装置１３０は、駆動油圧室１２４に作動油を供給し、駆動油圧室１２４の作動油の油圧である駆動油圧を制御するものでもある。
【００５２】
油圧制御装置１３０は、図３に示すように、プライマリ油圧室５４、セカンダリ油圧室６４、駆動油圧室１２４などに作動油を供給し、これらの油圧、作動油の供給流量、作動油の排出流量を制御することで、ベルト式無段変速機２２の変速比を制御するものでもある。なお、同図では、プライマリ油圧室５４、セカンダリ油圧室６４、駆動油圧室１２４を除く作動油供給部分（上述した作動油供給部分や、内燃機関１２の作動油供給部分（例えば、可動部品との間に摺動部を有する静止部品、可動部品あるいは静止部品との間に摺動部を有する可動部品、加熱される部品やオイルにより駆動する駆動装置））の図示は省略する。油圧制御装置１３０は、オイルパン１３１と、オイルポンプ１３２と、ライン圧制御装置１３３と、一定圧制御装置１３４と、プライマリ油圧室用制御装置１３５と、駆動油圧室用制御装置１３６と、セカンダリ油圧室用制御装置１３７とを含んで構成される。
【００５３】
オイルポンプ１３２は、オイルパン１３１に貯留されている作動油を吸引、加圧し、吐出するものである。オイルポンプ１３２は、油路Ｒ１を介してライン圧制御装置１３３に接続されている。オイルポンプ１３２によって加圧され、吐出された作動油は、ライン圧制御装置１３３に供給される。つまり、オイルポンプ１３２の吐出圧は、ライン圧制御装置１３３に導入される。オイルポンプ１３２は、図１に示すように、トルクコンバータ１６と前後進切換機構２０との間に配置されている。このオイルポンプ１３２は、ロータ１３２ａと、ハブ１３２ｂと、ボディ１３２ｃとにより構成されている。このオイルポンプ１３２は、ロータ１３２ａにより円筒形状のハブ１３２ｂを介して、上記トルクコンバータ１６のポンプに接続されている。また、ボディ１３２ｃは、ベルト式無段変速機２２等を支持する筐体に固定されている。また、ハブ１３２ｂは、トルクコンバータ１６の中空軸にスプライン嵌合されている。したがって、オイルポンプ１３２は、内燃機関１２からの出力トルクがトルクコンバータ１６のポンプを介してロータ１３２ａに伝達されるので、駆動することができる。つまり、オイルポンプ１３２は、内燃機関１２の回転数の上昇に応じて、吐出される作動油の吐出量が増量、すなわち吐出圧が上昇する。
【００５４】
ライン圧制御装置１３３は、オイルポンプ１３２から吐出圧で供給される作動油の圧力を所定のライン圧ＰＬとなるように調圧するものである。つまり、ライン圧制御装置１３３は、入力油圧である油路Ｒ１の油圧、すなわち吐出圧を調圧して、ライン圧制御装置１３３からの出力油圧をライン圧ＰＬとするものである。ライン圧制御装置１３３は、油路Ｒ２を介してプライマリ油圧室用制御装置１３５の後述する供給側流量制御弁１３５ｃの第２ポート１３５ｌと接続され、油路Ｒ２および分岐油路Ｒ２１を介して一定圧制御装置１３４と接続され、油路Ｒ２および分岐油路Ｒ２２を介してセカンダリ油圧室用制御装置１３７と接続されている。したがって、ライン圧制御装置１３３により調圧されたライン圧ＰＬは、供給側流量制御弁１３５ｃの第２ポート１３５ｌ、一定圧制御装置１３４、セカンダリ油圧室用制御装置１３７に導入される。
【００５５】
ライン圧制御装置１３３は、内燃機関１２の出力トルクに応じてライン圧ＰＬを調圧する。ライン圧制御装置１３３は、オイルポンプ１３２から吐出された作動油の圧力を調圧する図示しない電磁弁、例えばリニアソレノイド弁が備えられている。ライン圧制御装置１３３は、ＥＣＵ１４０と電気的に接続されており、ＥＣＵ１４０からの制御信号により、リニアソレノイド弁の弁開度が制御されることで、ライン圧ＰＬを調圧することができる。
【００５６】
一定圧制御装置１３４は、ライン圧制御装置１３３から出力されたライン圧ＰＬを常に一定の圧力となるように調圧するものである。つまり、一定圧制御装置１３４は、入力油圧である油路Ｒ２および分岐油路Ｒ２１の油圧、すなわちライン圧ＰＬを調圧して、一定圧制御装置１３４からの出力油圧を一定圧ＰＳとするものである。一定圧制御装置１３４は、油路Ｒ３を介してプライマリ油圧室用制御装置１３５の後述する供給側制御弁１３５ａの第１ポート１３５ｅと接続され、油路Ｒ３および分岐油路Ｒ３１を介してプライマリ油圧室用制御装置１３５の後述する排出側制御弁１３５ｂの第１ポート１３５ｈと接続され、油路Ｒ３および分岐油路Ｒ３２を介して駆動油圧室用制御装置１３６と接続されている。したがって、一定圧制御装置１３４により調圧された一定圧ＰＳは、供給側制御弁１３５ａの第１ポート１３５ｅ、排出側制御弁１３５ｂの第１ポート１３５ｈ、駆動油圧室用制御装置１３６に導入される。
【００５７】
プライマリ油圧室用制御装置１３５は、プライマリ油圧室５４への作動油の供給あるいはプライマリ油圧室５４からの作動油の排出を制御するものである。プライマリ油圧室用制御装置１３５は、実施形態１ではプライマリ油圧室５４へ供給される作動油の供給流量およびプライマリ油圧室５４から排出された作動油の排出流量を制御するものである。プライマリ油圧室用制御装置１３５は、供給側制御弁１３５ａと、排出側制御弁１３５ｂと、供給側流量制御弁１３５ｃと、排出側流量制御弁１３５ｄとを含んで構成される。
【００５８】
供給側制御弁１３５ａは、供給側流量制御弁１３５ｃによりプライマリ油圧室５４に供給される作動油の供給流量制御を行うものである。供給側制御弁１３５ａは、ＯＮ／ＯＦＦにより、３つのポート、すなわち第１ポート１３５ｅと、第２ポート１３５ｆと、第３ポート１３５ｇとの連通を切り換えるものである。第１ポート１３５ｅは、上述のように一定圧制御装置１３４と接続されている。第２ポート１３５ｆは、油路Ｒ４を介して供給側流量制御弁１３５ｃの後述する第１ポート１３５ｋと接続されている。また、第２ポート１３５ｆは、油路Ｒ４および分岐油路Ｒ４１を介して排出側流量制御弁１３５ｄの後述する第４ポート１３５ｕと接続されている。第３ポート１３５ｇは、合流油路Ｒ５１および油路Ｒ５を介してオイルパン１３１と接続されている。つまり、第３ポート１３５ｇは、大気圧に解放されている。
【００５９】
供給側制御弁１３５ａは、ＯＮとなると、第１ポート１３５ｅと第２ポート１３５ｆとが連通する。したがって、供給側制御弁１３５ａに導入された一定圧ＰＳが供給側流量制御弁１３５ｃの第１ポート１３５ｋに導入される。つまり、供給側制御弁１３５ａに導入された一定圧ＰＳが第１ポート１３５ｋと連通する供給側流量制御弁１３５ｃの後述する制御油圧室１３５ｏに導入される。また、供給側制御弁１３５ａに導入された一定圧ＰＳが排出側流量制御弁１３５ｄの第４ポート１３５ｕに導入される。一方、供給側制御弁１３５ａは、ＯＦＦとなると、第２ポート１３５ｆと第３ポート１３５ｇとが連通する。したがって、供給側流量制御弁１３５ｃの第１ポート１３５ｋは、供給側制御弁１３５ａを介して大気圧に解放される。つまり、供給側流量制御弁１３５ｃの第１ポート１３５ｋを介して制御油圧室１３５ｏが大気圧に解放される。また、排出側流量制御弁１３５ｄの第４ポート１３５ｕは、供給側制御弁１３５ａを介して大気圧に解放される。ここで、供給側制御弁１３５ａは、ＥＣＵ１４０と電気的に接続されており、ＥＣＵ１４０からの制御信号によりデューティー制御される。したがって、供給側制御弁１３５ａは、ＥＣＵ１４０からの制御信号により、供給側流量制御弁１３５ｃの制御油圧室１３５ｏを一定圧ＰＳから大気圧までの間で調圧することができる。
【００６０】
排出側制御弁１３５ｂは、排出側流量制御弁１３５ｄによるプライマリ油圧室５４から排出される作動油の排出流量制御を行うものである。排出側制御弁１３５ｂは、ＯＮ／ＯＦＦにより、３つのポート、すなわち第１ポート１３５ｈと、第２ポート１３５ｉと、第３ポート１３５ｊとの連通を切り換えるものである。第１ポート１３５ｈは、上述のように一定圧制御装置１３４と接続されている。第２ポート１３５ｉは、油路Ｒ６を介して排出側流量制御弁１３５ｄの後述する第１ポート１３５ｒと接続されている。また、第２ポート１３５ｉは、油路Ｒ６および分岐油路Ｒ６１を介して供給側流量制御弁１３５ｃの後述する第４ポート１３５ｎと接続されている。第３ポート１３５ｊは、油路Ｒ５を介してオイルパン１３１と接続されている。つまり、第３ポート１３５ｊは、大気圧に解放されている。
【００６１】
排出側制御弁１３５ｂは、ＯＮとなると、第１ポート１３５ｈと第２ポート１３５ｉとが連通する。したがって、排出側制御弁１３５ｂに導入された一定圧ＰＳが排出側流量制御弁１３５ｄの第１ポート１３５ｒに導入される。つまり、排出側制御弁１３５ｂに導入された一定圧ＰＳが第１ポート１３５ｒと連通する排出側流量制御弁１３５ｄの後述する制御油圧室１３５ｖに導入される。また、排出側制御弁１３５ｂに導入された一定圧ＰＳが供給側流量制御弁１３５ｃの第４ポート１３５ｎに導入される。一方、排出側制御弁１３５ｂは、ＯＦＦとなると、第２ポート１３５ｉと第３ポート１３５ｊとが連通する。したがって、排出側流量制御弁１３５ｄの第１ポート１３５ｒは、排出側制御弁１３５ｂを介して大気圧に解放される。つまり、排出側流量制御弁１３５ｄの第１ポート１３５ｒを介して制御油圧室１３５ｖが大気圧に解放される。また、供給側流量制御弁１３５ｃの第４ポート１３５ｎは、排出側制御弁１３５ｂを介して大気圧に解放される。ここで、排出側制御弁１３５ｂは、ＥＣＵ１４０と電気的に接続されており、ＥＣＵ１４０からの制御信号によりデューティー制御される。したがって、排出側制御弁１３５ｂは、ＥＣＵ１４０からの制御信号により、排出側流量制御弁１３５ｄの制御油圧室１３５ｖを一定圧ＰＳから大気圧までの間で調圧することができる。
【００６２】
供給側流量制御弁１３５ｃは、プライマリ油圧室５４に供給される作動油の供給流量を制御するものである。供給側流量制御弁１３５ｃは、第１ポート１３５ｋと、第２ポート１３５ｌと、第３ポート１３５ｍと、第４ポート１３５ｎと、制御油圧室１３５ｏと、スプール１３５ｐと、スプール弾性部材１３５ｑとにより構成されている。第１ポート１３５ｋは、上述のように供給側制御弁１３５ａの第２ポート１３５ｆと接続されている。第２ポート１３５ｌは、上述のように、ライン圧制御装置１３３と接続されている。第３ポート１３５ｍは、油路Ｒ７を介してプライマリ油圧室５４と接続されている。実施形態１では、第３ポート１３５ｍは、油路Ｒ７、供給排出経路としての第２油路１０２及び第１油路８６を介してプライマリ油圧室５４と接続されている。第４ポート１３５ｎは、上述のように排出側制御弁１３５ｂの第２ポート１３５ｉと接続されている。なお、図３に示すように、供給側制御弁１３５ａの第２ポート１３５ｆと供給側流量制御弁１３５ｃの第１ポート１３５ｋとの間、ライン圧制御装置１３３と供給側流量制御弁１３５ｃの第２ポート１３５ｌとの間に、オリフィス、すなわち絞りを設け、供給側制御弁１３５ａから供給側流量制御弁１３５ｃへ流入する作動油およびライン圧制御装置１３３から供給側流量制御弁１３５ｃへ流入する作動油の圧力あるいは流量を調整しても良い。
【００６３】
制御油圧室１３５ｏは、第１ポート１３５ｋと連通するものであり、その油圧によりスプール１３５ｐをスプール１３５ｐが移動する方向のうち一方向（図３では、上方向）に押圧するスプール開弁方向押圧力をスプール１３５ｐに作用させるものである。スプール１３５ｐは、供給側流量制御弁１３５ｃ内で移動自在に支持されており、移動方向のうち一方向に移動することで第２ポート１３５ｌと第３ポート１３５ｍとを連通し、移動方向のうち他方向に移動することで、第２ポート１３５ｌと第３ポート１３５ｍとの連通を遮断するものである。スプール弾性部材１３５ｑは、スプール１３５ｐと、スプール１３５ｐに対して静止している部材との間に付勢された状態で配置されている。したがって、スプール弾性部材１３５ｑは、スプール付勢力を発生しており、スプール付勢力によりスプール１３５ｐをスプール１３５ｐが移動する方向のうち他方向（図３では、下方向）に押圧するスプール閉弁方向押圧力をスプール１３５ｐに作用させるものである。
【００６４】
供給側流量制御弁１３５ｃは、スプール１３５ｐに作用する上記スプール開弁方向押圧力が上記スプール閉弁方向押圧力を超えることで、スプール１３５ｐが移動方向のうち一方向に移動する。ここで、供給側流量制御弁１３５ｃは、スプール１３５ｐの移動方向のうち一方向への移動量の増加に伴い、第２ポート１３５ｌと第３ポート１３５ｍとの連通の度合い、すなわち第２ポート１３５ｌと第３ポート１３５ｍとを連通する流路の流路断面積が増加する。つまり、供給側流量制御弁１３５ｃは、供給側制御弁１３５ａにより調圧された制御油圧室１３５ｏの油圧により、スプール１３５ｐが移動することで、２つのポート、すなわち第２ポート１３５ｌと第３ポート１３５ｍとの連通を制御し、供給流量を制御するものである。
【００６５】
排出側流量制御弁１３５ｄは、プライマリ油圧室５４から排出される作動油の排出流量を制御するものである。排出側流量制御弁１３５ｄは、第１ポート１３５ｒと、第２ポート１３５ｓと、第３ポート１３５ｔと、第４ポート１３５ｕと、制御油圧室１３５ｖと、スプール１３５ｗと、スプール弾性部材１３５ｘとにより構成されている。第１ポート１３５ｒは、上述のように排出側制御弁１３５ｂの第２ポート１３５ｉと接続されている。第２ポート１３５ｓは、合流油路Ｒ５２、合流油路Ｒ５１および油路Ｒ５を介してオイルパン１３１と接続されている。つまり、第２ポート１３５ｓは、大気圧に解放されている。第３ポート１３５ｔは、分岐油路Ｒ７１および油路Ｒ７を介してプライマリ油圧室５４と接続されている。実施形態１では、第３ポート１３５ｔは、分岐油路Ｒ７１、油路Ｒ７、供給排出経路としての第２油路１０２及び第１油路８６を介してプライマリ油圧室５４と接続されている。第４ポート１３５ｕは、上述のように供給側制御弁１３５ａの第２ポート１３５ｆと接続されている。なお、図３に示すように、排出側制御弁１３５ｂの第２ポート１３５ｉと排出側流量制御弁１３５ｄの第１ポート１３５ｒとの間に、オリフィス、すなわち絞りを設け、排出側制御弁１３５ｂから排出側流量制御弁１３５ｄへ流入する作動油の圧力あるいは流量を調整しても良い。
【００６６】
制御油圧室１３５ｖは、第１ポート１３５ｒと連通するものであり、その油圧によりスプール１３５ｗをスプール１３５ｗが移動する方向のうち一方向（図３では、上方向）に押圧するスプール開弁方向押圧力をスプール１３５ｗに作用させるものである。スプール１３５ｗは、排出側流量制御弁１３５ｄ内で移動自在に支持されており、移動方向のうち一方向に移動することで第２ポート１３５ｓと第３ポート１３５ｔとを連通し、移動方向のうち他方向に移動することで、第２ポート１３５ｓと第３ポート１３５ｔとの連通を遮断するものである。スプール弾性部材１３５ｘは、スプール１３５ｗと、スプール１３５ｗに対して静止している部材との間に付勢された状態で配置されている。したがって、スプール弾性部材１３５ｘは、スプール付勢力を発生しており、スプール付勢力によりスプール１３５ｗをスプール１３５ｗが移動する方向のうち他方向（図３では、下方向）に押圧するスプール閉弁方向押圧力をスプール１３５ｗに作用させるものである。
【００６７】
排出側流量制御弁１３５ｄは、スプール１３５ｗに作用する上記スプール開弁方向押圧力が上記スプール閉弁方向押圧力を超えることで、スプール１３５ｗが移動方向のうち一方向に移動する。ここで、排出側流量制御弁１３５ｄは、スプール１３５ｗの移動方向のうち一方向への移動量の増加に伴い、第２ポート１３５ｓと第３ポート１３５ｔとの連通の度合い、すなわち第２ポート１３５ｓと第３ポート１３５ｔとを連通する流路の流路断面積が増加する。つまり、排出側流量制御弁１３５ｄは、排出側制御弁１３５ｂにより調圧された制御油圧室１３５ｖの油圧により、スプール１３５ｗが移動することで、２つのポート、すなわち第２ポート１３５ｓと第３ポート１３５ｔとの連通を制御し、排出流量を制御するものである。
【００６８】
駆動油圧室用制御装置１３６は、駆動油圧室１２４の油圧である駆動油圧を調圧するものである。駆動油圧室用制御装置１３６には、上述のように、一定圧制御装置１３４から一定圧ＰＳが導入される。また、駆動油圧室用制御装置１３６は、油路Ｒ８を介して駆動油圧室１２４と接続されている。駆動油圧室用制御装置１３６は、図示しないデューティーソレノイド弁が備えられている。駆動油圧室用制御装置１３６は、ＥＣＵ１４０と電気的に接続されており、ＥＣＵ１４０からの制御信号により、デューティーソレノイド弁をＯＮ／ＯＦＦ制御する。駆動油圧室用制御装置１３６は、ＯＮ制御される、すなわちデューティーソレノイド弁がＯＮとされると、分岐油路Ｒ３２と油路Ｒ８とが連通し、駆動油圧室用制御装置１３６に導入された一定圧ＰＳが駆動油圧室１２４に導入され、駆動油圧室１２４の油圧が一定圧ＰＳとなる。一方、駆動油圧室用制御装置１３６は、ＯＦＦ制御される、すなわちデューティーソレノイド弁がＯＦＦとされると、分岐油路Ｒ３２と油路Ｒ８との連通が遮断されるとともに、油路Ｒ８が外部に解放され、駆動油圧室１２４の油圧Ｐ２が大気圧となる。
【００６９】
セカンダリ油圧室用制御装置１３７は、セカンダリ油圧室６４への作動油の供給あるいはセカンダリ油圧室６４からの作動油の排出を制御するものであり、プライマリ油圧室用制御装置１３５とほぼ同様な構成をしている。セカンダリ油圧室用制御装置１３７には、上述のように、ライン圧制御装置１３３からライン圧ＰＬが導入される。セカンダリ油圧室用制御装置１３７は、油路Ｒ９を介してセカンダリ油圧室６４と接続されている。実施形態１では、セカンダリ油圧室用制御装置１３７は、油路Ｒ９、セカンダリシャフト６１の図示しない作動油通路および図示しない作動流体供給孔を介してセカンダリ油圧室６４と接続されている。セカンダリ油圧室用制御装置１３７は、図示しない流量制御弁などを備える。セカンダリ油圧室用制御装置１３７は、ＥＣＵ１４０と電気的に接続されており、ＥＣＵ１４０からの制御信号により制御され導入されたライン圧ＰＬを調圧する。
【００７０】
油圧制御装置１３０は、内燃機関１２などの運転制御を行うＥＣＵ（Ｅｌｅｃｔｒｏｎｉｃ Ｃｏｎｔｒｏｌ Ｕｎｉｔ）１４０と接続されている。ＥＣＵ１４０は、油圧制御装置１３０と内燃機関１２とに接続されており、油圧制御装置１３０および内燃機関１２を制御するものである。油圧制御装置１３０は、ＥＣＵ１４０からの制御信号に基づいて、プライマリ油圧室用制御装置１３５、駆動油圧室用制御装置１３６、セカンダリ油圧室用制御装置１３７を制御することで、作動油供給排出弁１１０を開弁し、一方の挟圧力発生油圧室であるプライマリ油圧室５４に作動油を供給、あるいはプライマリ油圧室５４から作動油を排出し、少なくともベルト式無段変速機２２の変速比を制御するものである。また、ＥＣＵ１４０は、内燃機関１２に出力した制御信号により、内燃機関１２の図示しない燃料噴射弁、点火プラグ、スロットル弁を制御することで、内燃機関１２の出力トルクを制御する。
【００７１】
ＥＣＵ１４０は、運転条件、および、記憶部（不図示）に記憶された各種データ、例えば、機関回転数とスロットルバルブのスロットル開度に基づく最適燃費曲線などに基づいて、油圧制御装置１３０および内燃機関１２を制御する。このＥＣＵ１４０は、入力回転数センサ１５０、出力回転数センサ１６０が電気的に接続されている。
【００７２】
入力回転数センサ１５０は、変速比検出手段の一部を構成するものでもある。入力回転数センサ１５０は、駆動源からの駆動力が入力されるプーリ、すなわち内燃機関１２からの出力トルクが入力されるプライマリプーリ５０の入力回転数Ｎｉｎを検出するものである。入力回転数センサ１５０は、プライマリプーリ５０のプライマリシャフト５１の回転数を検出し、プライマリシャフト５１の回転数を入力回転数Ｎｉｎとするものである。入力回転数センサ１５０は、図３に示すように、ＥＣＵ１４０と接続されている。したがって、入力回転数センサ１５０により検出された入力回転数Ｎｉｎは、ＥＣＵ１４０に出力される。なお、入力回転数センサ１５０は、プライマリシャフト５１の回転数を入力回転数Ｎｉｎとするものに限られるものではなく、例えば内燃機関１２の機関回転数Ｎｅを検出し、機関回転数Ｎｅから入力回転数Ｎｉｎを算出するものであっても良い。この入力回転数センサ１５０としては、例えば、パルス式の回転数センサなどを用いることができる。
【００７３】
出力回転数センサ１６０は、変速比検出手段の一部を構成するものでもある。出力回転数センサ１６０は、プライマリプーリ５０に入力された駆動源からの駆動力、すなわち内燃機関１２の出力トルクがベルト８０を介して伝達されるセカンダリプーリ６０の出力回転数Ｎｏｕｔを検出するものである。出力回転数センサ１６０は、実施形態１では、セカンダリプーリ６０のセカンダリシャフト６１の回転数を検出し、セカンダリシャフト６１の回転数を出力回転数Ｎｏｕｔとするものである。出力回転数センサ１６０は、図３に示すように、ＥＣＵ１４０と接続されている。したがって、出力回転数センサ１６０により検出された出力回転数Ｎｏｕｔは、ＥＣＵ１４０に出力される。この出力回転数センサ１６０としては、例えば、パルス式の回転数センサなどを用いることができる。
【００７４】
ここで、入力回転数センサ１５０により検出された入力回転数Ｎｉｎ（言い換えれば、入力回転速度）と、出力回転数センサ１６０により検出された出力回転数Ｎｏｕｔ（言い換えれば、出力回転速度）との比は、ベルト式無段変速機２２の変速比となる。つまり、入力回転数センサ１５０および出力回転数センサ１６０は、変速比を検出するものである。したがって、ＥＣＵ１４０は、入力回転数センサ１５０により検出された入力回転数Ｎｉｎおよび出力回転数センサ１６０により検出された出力回転数Ｎｏｕｔが入力されることで、検出された変速比γが入力されることとなる。
【００７５】
ＥＣＵ１４０は、現状の実際の変速比である実変速比、目標とする変速比である目標変速比等の運転条件、および、記憶部（不図示）に記憶された各種データに基づいて、ライン圧制御装置１３３、プライマリ油圧室用制御装置１３５、駆動油圧室用制御装置１３６、セカンダリ油圧室用制御装置１３７の制御信号を生成し、油圧制御装置１３０に出力する。このように、ＥＣＵ１４０は、油圧制御装置１３０に出力した制御信号により、ライン圧制御装置１３３、プライマリ油圧室用制御装置１３５、駆動油圧室用制御装置１３６、セカンダリ油圧室用制御装置１３７を制御することで、入力回転数センサ１５０により検出された入力回転数Ｎｉｎおよび出力回転数センサ１６０により検出された出力回転数Ｎｏｕｔに基づく変速比γが目標変速比γｏとなるように、油圧制御装置１３０を制御する。
【００７６】
次に、実施形態１にかかるベルト式無段変速機２２の動作について説明する。まず、一般的な車両１０の前進、後進について説明する。車両１０に設けられた図示しないシフトポジション装置により、運転者が前進ポジションを選択した場合は、ＥＣＵ１４０が油圧制御装置１３０から供給された作動油によりフォワードクラッチをＯＮ、リバースブレーキをＯＦＦとし、前後進切換機構２０を制御する。これにより、インプットシャフト１８とプライマリシャフト５１が直結状態となる。これにより、内燃機関１２からの出力トルクがプライマリプーリ５０に伝達され、プライマリシャフト５１が内燃機関１２のクランクシャフト１４の回転方向と同一方向に回転される。プライマリプーリ５０に伝達された内燃機関１２からの出力トルクは、ベルト８０を介してセカンダリプーリ６０に伝達され、このセカンダリプーリ６０のセカンダリシャフト６１を回転させる。
【００７７】
セカンダリプーリ６０に伝達された内燃機関１２の出力トルクは、ベルト式無段変速機２２のセカンダリシャフト６１から減速装置２４に伝達され、減速装置２４から差動装置２８を介してドライブシャフト３２に伝達され、ドライブシャフト３２の端部に取り付けられた駆動輪３４に伝達される。駆動輪３４が路面に対して回転することで、車両１０は前進する。
【００７８】
一方、車両１０に設けられたシフトポジション装置により、運転者が後進ポジションを選択した場合は、ＥＣＵ１４０が、油圧制御装置１３０から供給された作動油により前後進切換機構２０のフォワードクラッチをＯＦＦ、リバースブレーキをＯＮとする。これにより、プライマリシャフト５１が、インプットシャフト１８と逆方向に回転する。これにより、セカンダリプーリ６０のセカンダリシャフト６１、減速装置２４、差動装置２８、ドライブシャフト３２などは、運転者が前進ポジションを選択した場合とは逆方向に回転し、車両が後進する。
【００７９】
ここで、ＥＣＵ１４０は、車両１０の速度や運転者のアクセル開度などの諸条件とＥＣＵ１４０の記憶部に記憶されているマップ（例えば、機関回転数とスロットルバルブのスロットル開度に基づく最適燃費曲線など）とに基づいて、内燃機関１２の運転状態が最適となるように、油圧制御装置１３０を介して、ベルト式無段変速機２２の変速比を制御する。ＥＣＵ１４０は、内燃機関１２の運転状態が最適となるように目標変速比γｏを設定し、現状のプライマリ油圧室５４及びセカンダリ油圧室６４の状態と、記憶部（不図示）に記憶されている油圧制御装置１３０とプライマリ油圧室５４との間を流通する作動油の量とプライマリ油圧室５４内の油圧との関係から、ベルト式無段変速機２２の変速比γが目標変速比γｏとなるプライマリ油圧室５４およびセカンダリ油圧室６４の油圧を算出する。ＥＣＵ１４０は、さらに、算出した油圧から、油圧制御装置１３０からプライマリ油圧室５４およびセカンダリ油圧室６４に供給する作動油の量、または、プライマリ油圧室５４およびセカンダリ油圧室６４から油圧制御装置１３０に排出する作動油の量を算出し、算出結果に基づいて油圧制御装置１３０を制御する。
【００８０】
ここで、ベルト式無段変速機２２の変速比の制御には、変速比の変更と、変速の固定（変速比γ定常）とがある。変速比の変更、変速比の固定は、プライマリ油圧室用制御装置１３５、駆動油圧室用制御装置１３６、セカンダリ油圧室用制御装置１３７を制御することで行われる。なお、油圧制御装置１３０を用いた変速比の制御は、制御周期ごとに行われるものである。
【００８１】
ＥＣＵ１４０は、変速比を固定する状態でない、すなわち変速比を変更する状態では、駆動油圧室１２４の駆動油圧を減圧して、作動油供給排出弁１１０を開弁状態とする。
【００８２】
具体的には、ＥＣＵ１４０は、駆動油圧室用制御装置１３６をＯＦＦ制御する。駆動油圧室用制御装置１３６がＥＣＵ１４０によりＯＦＦ制御されると、駆動油圧室１２４は、大気圧に解放され、駆動油圧室１２４の駆動油圧がほぼ大気圧となる。したがって、アクチュエータ１２０をなすスプリング１２６の付勢力によって作動油供給排出弁１１０の弁体１１４が弁座部１１２から離間し、作動油供給排出弁１１０が開弁する。
【００８３】
次に、ＥＣＵ１４０は、油圧制御装置１３０により変速比変更制御を行う。変速比変更制御は、主に油圧制御装置１３０からプライマリ油圧室５４への作動油の供給、あるいはプライマリ油圧室５４から油圧制御装置１３０を介してプライマリプーリ５０の外部への作動油の排出により行われ、プライマリ可動シーブ５３がプライマリシャフト５１の軸方向に摺動し、プライマリ固定シーブ５２とこのプライマリ可動シーブ５３との間の間隔、すなわちプライマリ溝８０ａの幅が調整される。これにより、プライマリプーリ５０におけるベルト８０の接触半径が変化し、プライマリプーリ５０の回転数、すなわち入力回転数Ｎｉｎとセカンダリプーリ６０の回転数、すなわち出力回転数Ｎｏｕｔとの比である変速比が無段階（連続的）に制御される。
【００８４】
なお、セカンダリプーリ６０においては、ＥＣＵ１４０によりセカンダリ油圧室用制御装置１３７を制御することで、セカンダリ油圧室６４の油圧を調圧し、セカンダリ固定シーブ６２とこのセカンダリ可動シーブ６３とによりベルト８０を挟み付けるベルト挟圧力が調整される。これにより、プライマリプーリ５０とセカンダリプーリ６０との間に巻き掛けられたベルト８０のベルト張力が制御される。
【００８５】
ここで、変速比変更制御には、アップシフト、すなわち変速比を減少させる変速比減少変更制御と、ダウンシフト、すなわち変速比を増加させる変速比増加変更制御とがある。以下、それぞれについて説明する。
【００８６】
変速比減少変更制御（アップシフト制御）では、油圧制御装置１３０からプライマリ油圧室５４へ作動油を供給し、プライマリ可動シーブ５３をプライマリ固定シーブ側に摺動（移動）させることで行われる。すなわち、油圧制御装置１３０は、上述のように開弁された作動油供給排出弁１１０を介してプライマリ油圧室５４に作動油を供給する。具体的には、ＥＣＵ１４０は、減少変速比と変速速度とを算出し、これらに基づいた変速比の制御信号を油圧制御装置１３０に出力する。
【００８７】
プライマリ油圧室用制御装置１３５の供給側制御弁１３５ａは、ＥＣＵ１４０によりデューティー制御され、ＯＮとＯＦＦとを繰り返し、供給側流量制御弁１３５ｃの制御油圧室１３５ｏの制御油圧を供給時所定圧に調圧し、排出側流量制御弁１３５ｄの第４ポート１３５ｕに供給時所定圧を導入する。ここで、供給時所定圧は、スプール１３５ｐに作用するスプール開弁方向押圧力により、第２ポート１３５ｌと第３ポート１３５ｍとの連通を制御することで制御される供給流量を減少変速比と変速速度とに基づいた供給流量とすることができる圧力である。したがって、供給側流量制御弁１３５ｃは、制御油圧室１３５ｏの制御油圧、すなわち供給時所定圧に基づいたスプール開弁方向押圧力がスプール閉弁方向押圧力を超えるため、スプール１３５ｐが移動方向のうち一方向へ移動し、第２ポート１３５ｌと第３ポート１３５ｍとが連通する。これにより、供給側流量制御弁１３５ｃが開弁され、プライマリ油圧室５４への作動油の供給流量が減少変速比と変速速度とに基づいた供給流量となる。
【００８８】
一方、プライマリ油圧室用制御装置１３５の排出側制御弁１３５ｂは、ＥＣＵ１４０によりＯＦＦに制御され、供給側流量制御弁１３５ｃの第４ポート１３５ｎおよび排出側流量制御弁１３５ｄの制御油圧室１３５ｖを大気圧に解放する。したがって、排出側流量制御弁１３５ｄは、スプール閉弁方向押圧力のみがスプール１３５ｗに作用するため、スプール１３５ｗが移動方向のうち最も他方向に位置した状態で維持され、第２ポート１３５ｓと第３ポート１３５ｔとが連通しない。これにより、排出側流量制御弁１３５ｄが閉弁を維持し、プライマリ油圧室５４からの作動油の排出流量が０となる。
【００８９】
したがって、供給側流量制御弁１３５ｃにライン圧ＰＬで導入された作動油は、供給側流量制御弁１３５ｃにより減少変速比と変速速度とに基づいた供給流量に制御されて、油路Ｒ７、作動油供給排出弁１１０、供給排出経路としての第２油路１０２及び第１油路８６を介してプライマリ油圧室５４に供給される。そして、作動油供給排出弁１１０等を介して供給された作動油によりプライマリ油圧室５４の油圧が上昇し、プライマリ可動シーブ５３をプライマリ固定シーブ側に押圧する押圧力が上昇し、プライマリ可動シーブ５３が軸方向のうち、プライマリ固定シーブ側に摺動する。これにより、プライマリプーリ５０におけるベルト８０の接触半径が増加し、セカンダリプーリ６０におけるベルト８０の接触半径が減少し、変速比が減少され、減少変速比となり、アップシフトが実行される。
【００９０】
変速比増加変更制御（ダウンシフト制御）では、プライマリ油圧室５４から油圧制御装置１３０を介して作動油を外部に排出し、プライマリ可動シーブ５３をプライマリ固定シーブ側と反対側に摺動（移動）させることで行われる。すなわち、油圧制御装置１３０は、上述のように開弁された作動油供給排出弁１１０を介してプライマリ油圧室５４から作動油を排出する。具体的には、ＥＣＵ１４０は、増加変速比と変速速度とを算出し、これらに基づいた変速比の制御信号を油圧制御装置１３０に出力する。
【００９１】
プライマリ油圧室用制御装置１３５の供給側制御弁１３５ａは、ＥＣＵ１４０によりＯＦＦに制御され、供給側流量制御弁１３５ｃの制御油圧室１３５ｏおよび排出側流量制御弁１３５ｄの第４ポート１３５ｕを大気圧に解放する。したがって、供給側流量制御弁１３５ｃは、スプール閉弁方向押圧力のみがスプール１３５ｐに作用するため、スプール１３５ｐが移動方向のうち最も他方向に位置した状態で維持されるため、第２ポート１３５ｌと第３ポート１３５ｍとが連通しない。これにより、供給側流量制御弁１３５ｃが閉弁を維持し、プライマリ油圧室５４への作動油の供給流量が０となる。
【００９２】
一方、プライマリ油圧室用制御装置１３５の排出側制御弁１３５ｂは、ＥＣＵ１４０によりデューティー制御され、ＯＮとＯＦＦとを繰り返し、供給側流量制御弁１３５ｃの第４ポート１３５ｎに排出時所定圧を導入し、排出側流量制御弁１３５ｄの制御油圧室１３５ｖの制御油圧を排出時所定圧に調圧する。ここで、排出時所定圧は、スプール１３５ｗに作用するスプール開弁方向押圧力により、第２ポート１３５ｓと第３ポート１３５ｔとの連通を制御することで制御される排出流量を増加変速比と変速速度とに基づいた排出流量とすることができる圧力である。したがって、排出側流量制御弁１３５ｄは、制御油圧室１３５ｖの制御油圧、すなわち排出時所定圧に基づいたスプール開弁方向押圧力がスプール閉弁方向押圧力を超えるため、スプール１３５ｗが移動方向のうち一方向へ移動し、第２ポート１３５ｓと第３ポート１３５ｔとが連通する。これにより、排出側流量制御弁１３５ｄが開弁され、プライマリ油圧室５４からの作動油の排出流量が減少変速比と変速速度とに基づいた排出流量となる。
【００９３】
したがって、プライマリ油圧室５４内の作動油は、プライマリ油圧室５４から供給排出経路としての第２油路１０２及び第１油路８６、作動油供給排出弁１１０、油路Ｒ７、分岐油路Ｒ７１を介して排出側流量制御弁１３５ｄに流入し、排出側流量制御弁１３５ｄにより増加変速比と変速速度とに基づいた排出流量に制御されて、合流油路Ｒ５２，Ｒ５１および油路Ｒ５を介して、オイルパン１３１、すなわちプライマリ油圧室５４の外部に排出される。したがって、作動油供給排出弁１１０を介してプライマリ油圧室５４から作動油が排出されることにより、プライマリ油圧室５４の油圧が減少し、プライマリ可動シーブ５３をプライマリ固定シーブ側に押圧する押圧力が減少し、プライマリ可動シーブ５３が軸方向のうち、プライマリ固定シーブ側と反対側に摺動する。これにより、プライマリプーリ５０におけるベルト８０の接触半径が減少し、セカンダリプーリ６０におけるベルト８０の接触半径が増加し、変速比が増加され、増加変速比となり、ダウンシフトが実行される。
【００９４】
一方、ＥＣＵ１４０は、車両の走行状態が安定している場合など、大幅な変速比の変更を行う必要がないと、変速比を固定、すなわち変速比を定常とする制御を行う。ＥＣＵ１４０は、変速比を固定する状態であると判断すると、作動油供給排出弁１１０を閉弁する。つまり、ＥＣＵ１４０は、作動油供給排出弁１１０を閉弁状態にして、変速比を固定する。
【００９５】
ここで、作動油供給排出弁１１０を閉弁状態にして変速比を固定する場合、すなわち閉弁状態における変速比の固定は、プライマリ油圧室５４へ作動油を供給せず、かつこのプライマリ油圧室５４から作動油を排出せず、プライマリ可動シーブ５３のプライマリ固定シーブ５２に対する軸方向における位置を一定とし、プライマリ可動シーブ５３のプライマリ固定シーブ５２に対する移動を規制することで行われる。
【００９６】
変速比の固定時では、駆動油圧室１２４の駆動油圧を増圧して、作動油供給排出弁１１０を閉弁し、作動油供給排出弁１１０を介したプライマリ油圧室５４への作動油の供給および作動油供給排出弁１１０を介したプライマリ油圧室５４からの作動油の排出を禁止する。
【００９７】
具体的には、ＥＣＵ１４０は、駆動油圧室用制御装置１３６をＯＮ制御する。駆動油圧室用制御装置１３６がＥＣＵ１４０によりＯＮ制御されると、駆動油圧室用制御装置１３６に導入された一定圧ＰＳが駆動油圧室１２４に導入され、駆動油圧室１２４の駆動油圧が一定圧ＰＳとなる。したがって、一定圧ＰＳとなった駆動油圧室１２４の作動油の駆動油圧により作動油供給排出弁１１０の弁体１１４が弁座部１１２と接触し、作動油供給排出弁１１０が閉弁する。
【００９８】
プライマリ油圧室用制御装置１３５の供給側制御弁１３５ａは、ＥＣＵ１４０によりＯＦＦに制御され、供給側流量制御弁１３５ｃの制御油圧室１３５ｏおよび排出側流量制御弁１３５ｄの第４ポート１３５ｕを大気圧に解放する。従って、供給側流量制御弁１３５ｃは、スプール閉弁方向押圧力のみがスプール１３５ｐに作用するため、スプール１３５ｐが移動方向のうち最も他方向に位置した状態で維持され、第２ポート１３５ｌと第３ポート１３５ｍとが連通しない。これにより、供給側流量制御弁１３５ｃが閉弁を維持し、プライマリ油圧室５４への作動油の供給流量が０となる。これにより、作動油供給排出弁１１０を介したプライマリ油圧室５４への作動油の供給が禁止される。
【００９９】
一方、プライマリ油圧室用制御装置１３５の排出側制御弁１３５ｂは、ＥＣＵ１４０によりＯＦＦに制御され、供給側流量制御弁１３５ｃの第４ポート１３５ｎおよび排出側流量制御弁１３５ｄの制御油圧室１３５ｖを大気圧に解放する。従って、排出側流量制御弁１３５ｄは、スプール閉弁方向押圧力のみがスプール１３５ｗに作用するため、スプール１３５ｗが移動方向のうち最も他方向に位置した状態で維持され、第２ポート１３５ｓと第３ポート１３５ｔとが連通しない。これにより、排出側流量制御弁１３５ｄが閉弁を維持し、プライマリ油圧室５４からの作動油の排出流量が０となる。これにより、作動油供給排出弁１１０を介したプライマリ油圧室５４からの作動油の排出が禁止される。
【０１００】
したがって、作動油供給排出弁１１０の閉弁状態における変速比の固定時には、プライマリ油圧室５４への作動油の供給およびこのプライマリ油圧室５４からの作動油の排出を禁止することで、プライマリ油圧室５４内の作動油を保持する。ここで、閉弁状態における変速比の固定時においても、ベルト８０のベルト張力が変化するため、プライマリプーリ５０におけるベルト８０の接触半径が変化しようとし、プライマリ可動シーブ５３のプライマリ固定シーブ５２に対する軸方向における位置が変化する虞がある。しかし上述のように、プライマリ油圧室５４内には、作動油が保持された状態となるため、プライマリ可動シーブ５３のプライマリ固定シーブ５２に対する軸方向における位置が変化しようとしても、ベルト８０からプライマリ可動シーブ５３を介して作用するベルト反力に応じてプライマリ油圧室５４の油圧も変化することで、プライマリ可動シーブ５３のプライマリ固定シーブ５２に対する軸方向における位置は一定に維持される。したがって、プライマリ可動シーブ５３のプライマリ固定シーブ５２に対する軸方向における位置を一定に維持するために、プライマリ油圧室５４に作動油を供給することによるプライマリ油圧室５４の油圧の上昇を行わなくても良い。これにより、閉弁状態における変速比の固定時に、プライマリ油圧室５４に作動油を供給するためにオイルポンプ１３２を駆動させなくても良いため、オイルポンプ１３２の駆動損失の増加を抑制することができる。
【０１０１】
ところで、上述したようなベルト式無段変速機２２では、ベルト式無段変速機２２を搭載した車両１０の速度が低下し、これに伴って駆動輪３４側のプーリ、つまり被駆動側のプーリであるセカンダリプーリ６０の回転数も低下した場合に、例えば、出力回転数センサ１６０によって検出される回転数の検出精度が低下するおそれがある。このため、プライマリプーリ５０の回転数とセカンダリプーリ６０の回転数とに基づいた実変速比の検出精度が低下することで、例えば、変速比制御の精度が低下しドライバビリティが低下するおそれがある。
【０１０２】
そこで、本実施形態のベルト式無段変速機２２は、車両１０の速度が予め設定される所定速度以下となった際に、油圧制御装置１３０が駆動油圧を増圧しアクチュエータ１２０により作動油供給排出弁１１０を閉弁させることで、ドライバビリティの向上を図っている。
【０１０３】
ここで、車両１０の速度に対して予め設定される所定速度は、入力回転数センサ１５０や出力回転数センサ１６０の検出精度が低下し、実変速比の検出精度が低下する速度であり、例えば、車両１０の停止直前の極低速速度である。
【０１０４】
本実施形態のベルト式無段変速機２２は、ＥＣＵ１４０に車両１０の速度を検出する車速センサ１７０（図３参照）が電気的に接続されており、ＥＣＵ１４０は、この車速センサ１７０が検出した速度に基づいて車両１０の速度が所定速度以下であるか否かを判定する。なお、車両１０の速度は、駆動力を出力する側のプーリ、つまりの駆動輪３４が連結されるセカンダリプーリ６０の回転数に応じた値となるので、出力回転数センサ１６０が検出するセカンダリプーリ６０の回転数に基づいて車両１０の速度を検出するようにしてもよい。つまり、ＥＣＵ１４０は、出力回転数センサ１６０が検出するセカンダリプーリ６０の回転数が予め設定される所定回転数以下であるかを判定することで、実質的に車両１０の速度に対して予め設定される所定速度以下であるか否かを判定することもできる。
【０１０５】
図４は、本発明の実施形態１に係るベルト式無段変速機の低車速時閉弁制御を説明するフローチャート、図５は、本発明の実施形態１に係るベルト式無段変速機の低車速時閉弁制御の一例を説明するタイムチャートであり、縦軸を車速Ｖ及び駆動油圧室１２４の駆動油圧Ｐｃｖ、横軸を時間軸としている。以下では、この図４及び図５を参照してベルト式無段変速機２２の低車速時閉弁制御を説明する。なお、この制御ルーチンは、数ｍｓないし数十ｍｓ毎の制御周期で繰り返し実行される。
【０１０６】
まず、ＥＣＵ１４０は、車速センサ１７０が検出した車両１０の速度、つまり、車速Ｖに基づいて、この車速Ｖが予め設定される所定速度Ａ以下であるか否かを判定する（Ｓ１００）。
【０１０７】
ＥＣＵ１４０は、車速Ｖが所定速度Ａ以下であると判定した場合（Ｓ１００：Ｙｅｓ）、油圧制御装置１３０によって作動油供給排出弁１１０を閉弁し（Ｓ１０２）、この低車速時閉弁制御を終了する。すなわち、図５に示すように、時刻ｔ１１で車速Ｖが所定速度Ａ以下となると、油圧制御装置１３０は、ＥＣＵ１４０により駆動油圧室用制御装置１３６がＯＮとなるように制御され、駆動油圧室用制御装置１３６に導入された一定圧ＰＳを駆動油圧室１２４に導入し、これにより、駆動油圧室１２４の駆動油圧Ｐｃｖを一定圧ＰＳとする。したがって、一定圧ＰＳとなった駆動油圧室１２４の作動油の駆動油圧Ｐｃｖにより作動油供給排出弁１１０の弁体１１４が弁座部１１２と接触し、作動油供給排出弁１１０が閉弁する。
【０１０８】
ＥＣＵ１４０は、車速Ｖが所定速度Ａより大きいと判定した場合（Ｓ１００：Ｎｏ）、通常の変速比制御を実行し（Ｓ１０４）、この低車速時閉弁制御を終了する。
【０１０９】
以上で説明した本発明の実施形態に係るベルト式無段変速機２２によれば、車両１０の２つのプーリとしてのプライマリプーリ５０及びセカンダリプーリ６０と、プライマリプーリ５０、セカンダリプーリ６０に巻き掛けられ、内燃機関１２からの駆動力を伝達するベルト８０と、プライマリプーリ５０、セカンダリプーリ６０それぞれに形成され、油圧によりベルト８０に対してベルト挟圧力を発生するプライマリ油圧室５４及びセカンダリ油圧室６４と、一方の挟圧力発生油圧室としてのプライマリ油圧室５４に作動油を供給およびこのプライマリ油圧室５４から作動油を排出する供給排出経路としての第１油路８６、第２油路１０２と、供給排出経路としての第２油路１０２に設けられプライマリ油圧室５４から作動油を排出する方向に開弁可能な作動油供給排出弁１１０と、駆動油圧室１２４の作動油の油圧によりピストン１２２を移動させることで、作動油供給排出弁１１０をプライマリ油圧室５４に作動油を供給する方向に閉弁可能なアクチュエータ１２０と、２つのプーリとしてのプライマリプーリ５０、セカンダリプーリ６０の回転数比である変速比を検出可能な変速比検出手段としての入力回転数センサ１５０、出力回転数センサ１６０と、プライマリ油圧室５４に供給される作動油の油圧である供給油圧及び駆動油圧室１２４の作動油の油圧である駆動油圧を制御し、駆動油圧を減圧することで作動油供給排出弁１１０を開弁させプライマリ油圧室５４に作動油を供給、あるいはプライマリ油圧室５４から作動油を排出して変速比検出手段としての入力回転数センサ１５０、出力回転数センサ１６０により検出される変速比を目標の変速比に変更する一方、駆動油圧を増圧することでアクチュエータ１２０により作動油供給排出弁１１０を閉弁させ変速比を固定する油圧制御装置１３０とを備え、油圧制御装置１３０は、車両１０の速度が予め設定される所定速度以下となった際に、駆動油圧を増圧することでアクチュエータ１２０により作動油供給排出弁１１０を閉弁させる。
【０１１０】
したがって、ベルト式無段変速機２２を搭載した車両１０の速度が低下し、これに伴って駆動輪３４側のプーリ、つまり被駆動側のプーリであるセカンダリプーリ６０の回転数も低下し、例えば、出力回転数センサ１６０によって検出される回転数の検出精度が低下し、プライマリプーリ５０の回転数とセカンダリプーリ６０の回転数とに基づいた実変速比の検出精度が低下した場合であっても、車両１０の速度が予め設定される所定速度以下となった際に、駆動油圧を増圧しアクチュエータ１２０により作動油供給排出弁１１０を閉弁させることで、作動油供給排出弁１１０を介したプライマリ油圧室５４への作動油の供給および作動油供給排出弁１１０を介したプライマリ油圧室５４からの作動油の排出が禁止され、ベルト式無段変速機２２における変速比を車両１０の減速に伴ってダウンシフトされた増加変速比、例えば、最大変速比近傍で固定することができる。
【０１１１】
このとき、上述したように、ベルト８０のベルト張力が変化しプライマリプーリ５０におけるベルト８０の接触半径が変化しようとしても、作動油供給排出弁１１０が閉弁状態となっていることで、プライマリ油圧室５４内には作動油が保持された状態となるため、ベルト８０からプライマリ可動シーブ５３を介して作用するベルト反力に応じてプライマリ油圧室５４の油圧も変化することで、プライマリ可動シーブ５３のプライマリ固定シーブ５２に対する軸方向における位置は一定に維持される。したがって、ベルト式無段変速機２２は、作動油供給排出弁１１０を閉弁した際の変速比、例えば、最大変速比近傍の変速比を維持することができる。
【０１１２】
例えば、車両１０の低速時に作動油供給排出弁１１０を閉弁せずに、油圧制御装置１３０によって、供給側制御弁１３５ａ及び排出側制御弁１３５ｂをＯＦＦに制御しプライマリ油圧室５４への作動油の供給及びプライマリ油圧室５４からの作動油の排出を禁止した上で、言い換えれば、油圧制御装置１３０の油圧回路において供給側制御弁１３５ａ、排出側制御弁１３５ｂよりプライマリ油圧室５４側に作動油を閉じ込めた上で、プライマリ油圧室５４への供給油圧とセカンダリ油圧室６４への供給油圧とを所定の調圧式に基づいて調圧し、プライマリ油圧室５４への供給油圧をベルトスリップを防止できる程度の所定の油圧に切り替える閉じ込み制御を実行することで、ベルト式無段変速機２２における変速比を車両１０の減速に伴ってダウンシフトされた増加変速比、例えば、最大変速比近傍で固定することもできる。しかしこの場合、例えば、油圧制御装置１３０のスプールの機械的精度のばらつきなどの影響で若干変速、例えば若干アップシフトしてしまうおそれがある。そしてこの場合、上述のようにベルト式無段変速機２２を搭載した車両１０の速度が低下し、プライマリプーリ５０の回転数とセカンダリプーリ６０の回転数とに基づいた実変速比の検出精度が低下していると、この実変速比と目標変速比とのずれを検出することができないおそれがある。
【０１１３】
これに対して、本実施形態のベルト式無段変速機２２は、車両１０の速度が予め設定される所定速度以下となった際に、駆動油圧を増圧しアクチュエータ１２０により作動油供給排出弁１１０を閉弁させることで、ベルト式無段変速機２２における変速比を車両１０の減速に伴ってダウンシフトされた増加変速比、例えば、最大変速比近傍で確実に固定することができる。この結果、例えば、車両１０の停止後、再発進する際には確実に最大変速比近傍の変速比で発進することができることから発進時にトルク不足になることを防止することができ、また、ベルトスリップが生じたりすることを防止することができるので、ドライバビリティを向上することができ、信頼性を向上することができる。
【０１１４】
なお、ベルト式無段変速機２２は、車両１０の速度が予め設定される所定速度以下となった際に、駆動油圧を増圧しアクチュエータ１２０により作動油供給排出弁１１０を閉弁させる制御とともに、上述の閉じ込み制御を併用してもよい。
【０１１５】
図６は、本発明の変形例１に係るベルト式無段変速機の低車速時閉弁制御を説明するフローチャート、図７は、本発明の変形例１に係るベルト式無段変速機の低車速時閉弁制御の一例を説明するタイムチャートである。
【０１１６】
本変形例に係るベルト式無段変速機２２ＡのＥＣＵ１４０は、車速Ｖが所定速度Ａ以下であると判定した場合（Ｓ１００：Ｙｅｓ）、油圧制御装置１３０によって閉じ込み制御を実行し（Ｓ１０１Ａ）、作動油供給排出弁１１０を閉弁し（Ｓ１０２）、この低車速時閉弁制御を終了する。
【０１１７】
すなわち、図７に示すように、時刻ｔ１２で車速Ｖが所定速度Ａ以下となると、油圧制御装置１３０は、閉じ込み制御として、供給側制御弁１３５ａ及び排出側制御弁１３５ｂをＯＦＦに制御することで、供給側制御弁１３５ａの出力油圧ＰＤＳ１及び排出側制御弁１３５ｂの出力油圧ＰＤＳ２がともに０となる。そして、プライマリ油圧室５４への作動油の供給及びプライマリ油圧室５４からの作動油の排出が禁止され、油圧制御装置１３０の油圧回路において供給側制御弁１３５ａ、排出側制御弁１３５ｂよりプライマリ油圧室５４、セカンダリ油圧室６４側に作動油を閉じ込めた上で、プライマリ油圧室５４への供給油圧とセカンダリ油圧室６４への供給油圧とを所定の調圧式に基づいて調圧し、プライマリ油圧室５４への供給油圧をベルトスリップを防止できる程度の所定の油圧に切り替える閉じ込み制御を実行する。この制御とほぼ並行して、ＥＣＵ１４０により駆動油圧室用制御装置１３６がＯＮとなるように制御され、駆動油圧室用制御装置１３６に導入された一定圧ＰＳを駆動油圧室１２４に導入し、これにより、駆動油圧室１２４の駆動油圧Ｐｃｖを一定圧ＰＳとする。したがって、一定圧ＰＳとなった駆動油圧室１２４の作動油の駆動油圧Ｐｃｖにより作動油供給排出弁１１０の弁体１１４が弁座部１１２と接触し、作動油供給排出弁１１０が閉弁する。なお、時刻ｔ１２以前の期間では、車両１０の減速に伴った通常の変速比制御におけるダウンシフトが実行されているため、排出側制御弁１３５ｂの出力油圧ＰＤＳ２は、減少変速比と変速速度とに基づいたプライマリ油圧室５４からの作動油の排出流量に応じた油圧となっている。
【０１１８】
この場合であっても変形例１に係るベルト式無段変速機２２Ａは、例えば、車両１０の停止後、再発進する際には確実に最大変速比近傍の変速比で発進することができることから発進時にトルク不足になることを防止することができ、また、ベルトスリップが生じたりすることを防止することができるので、ドライバビリティを向上することができ、信頼性を向上することができる。
【０１１９】
（実施形態２）
図８は、本発明の実施形態２に係るベルト式無段変速機の油圧制御装置の概略構成を模式的に示す概念図、図９は、本発明の実施形態２に係るベルト式無段変速機の低車速時閉弁制御を説明するフローチャート、図１０は、本発明の実施形態２に係るベルト式無段変速機の低車速時閉弁制御の一例を説明するタイムチャートであり、縦軸を車速Ｖ、制動力Ｇ、変速比γ、駆動油圧Ｐｃｖ及び出力油圧ＰＤＳ１、ＰＤＳ２とし、横軸を時間軸としている。実施形態２に係るベルト式無段変速機は、実施形態１に係るベルト式無段変速機と略同様の構成であるが、禁止手段を備える点で実施形態１に係るベルト式無段変速機とは異なる。その他、上述した実施形態と共通する構成、作用、効果については、重複した説明はできるだけ省略するとともに、同一の符号を付す。
【０１２０】
本実施形態に係るベルト式無段変速機２２２は、ＥＣＵ１４０が本発明の禁止手段として機能する。
【０１２１】
本実施形態のＥＣＵ１４０は、車両１０の速度が予め設定される所定速度以下となった際、車両１０が停止する際の制動力が予め設定される所定制動力より大きい場合、又は、変速比検出手段としての入力回転数センサ１５０、出力回転数センサ１６０によって検出される変速比が予め設定される所定変速比より小さい場合に、油圧制御装置１３０を制御して作動油供給排出弁１１０の閉弁を禁止することで、さらなるドライバビリティの向上を図っている。
【０１２２】
ここで、車両１０の制動力に対して予め設定される所定制動力は、例えば、車両１０の急停止によってベルト式無段変速機２２２の変速比が最大変速比近傍までダウンシフトされていない可能性のある制動力である。また、入力回転数センサ１５０、出力回転数センサ１６０によって検出される変速比に対して予め設定される所定変速比は、車両１０の良好な発進性を確保できる変速比である。
【０１２３】
本実施形態のベルト式無段変速機２２２は、ＥＣＵ１４０に車両１０の加速度を検出する加速度センサ１８０（図８参照）が電気的に接続されており、ＥＣＵ１４０は、この加速度センサ１８０が検出した加速度に応じた制動力に基づいて車両１０が停止する際の制動力が所定制動力より大きいか否かを判定する。また、ＥＣＵ１４０は、入力回転数センサ１５０、出力回転数センサ１６０が検出した実変速比に基づいて、この実変速比が所定変速比より小さいか否かを判定する。以下では、図９及び図１０を参照してベルト式無段変速機２２２の低車速時閉弁制御を説明する。
【０１２４】
まず、ＥＣＵ１４０は、車速センサ１７０が検出した車速Ｖに基づいて、この車速Ｖが予め設定される所定速度Ａ以下であるか否かを判定する（Ｓ２００）。
【０１２５】
ＥＣＵ１４０は、車速Ｖが所定速度Ａ以下であると判定した場合（Ｓ２００：Ｙｅｓ）、入力回転数センサ１５０、出力回転数センサ１６０が検出した変速比γ及び加速度センサ１８０が検出した制動力Ｇに基づいて、変速比γが所定変速比Ｂ以上でかつ車両１０が停止する際の制動力Ｇが所定制動力Ｇ１以下であったか否かを判定する（Ｓ２０２）。なおここでは、ＥＣＵ１４０は、前回の制御周期における変速比γを用いてもよい。
【０１２６】
ＥＣＵ１４０は、変速比γが所定変速比Ｂ以上でかつ車両１０が停止する際の制動力Ｇが所定制動力Ｇ１以下であったと判定した場合（Ｓ２０２：Ｙｅｓ）、すなわち、図１０に示すように、時刻ｔ２１で車速Ｖが所定速度Ａ以下となり、このとき、変速比γが所定変速比Ｂ以上でかつ車両１０が停止する際の制動力Ｇが所定制動力Ｇ１以下であった場合、油圧制御装置１３０によって閉じ込み制御を実行し（Ｓ２０４）、作動油供給排出弁１１０を閉弁し（Ｓ２０６）、この低車速時閉弁制御を終了する。
【０１２７】
ＥＣＵ１４０は、変速比γが所定変速比Ｂよい小さい、又は、車両１０が停止する際の制動力Ｇが所定制動力Ｇ１より大きかったと判定した場合（Ｓ２０２：Ｎｏ）、油圧制御装置１３０により駆動油圧室用制御装置１３６をＯＦＦのまま維持し、一定圧ＰＳが駆動油圧室１２４に導入されることを禁止し、作動油供給排出弁１１０の閉弁を禁止して（Ｓ２０８）、油圧制御装置１３０によって閉じ込み制御を実行し（Ｓ２１０）、この低車速時閉弁制御を終了する。
【０１２８】
ＥＣＵ１４０は、車速Ｖが所定速度Ａより大きいと判定した場合（Ｓ２００：Ｎｏ）、通常の変速比制御を実行し（Ｓ２１２）、この低車速時閉弁制御を終了する。
【０１２９】
以上で説明した本発明の実施形態に係るベルト式無段変速機２２２によれば、車両１０の速度が予め設定される所定速度以下となった際、変速比が所定変速比以上でかつ車両１０が停止する際の制動力が所定制動力以下であった場合に、駆動油圧を増圧しアクチュエータ１２０により作動油供給排出弁１１０を閉弁させることで、ベルト式無段変速機２２２における変速比を車両１０の減速に伴ってダウンシフトされた増加変速比、例えば、最大変速比近傍で確実に固定することができる。この結果、例えば、車両１０の停止後、再発進する際には確実に最大変速比近傍の変速比で発進することができることから発進時にトルク不足になることを防止することができ、また、ベルトスリップが生じたりすることを防止することができるので、ドライバビリティを向上することができ、信頼性を向上することができる。
【０１３０】
さらに、以上で説明した本発明の実施形態に係るベルト式無段変速機２２２によれば、車両１０の速度が予め設定される所定速度以下となった際、車両１０が停止する際の制動力が予め設定される所定制動力より大きい場合、又は、変速比検出手段としての入力回転数センサ１５０、出力回転数センサ１６０によって検出される変速比が予め設定される所定変速比より小さい場合に、油圧制御装置１３０を制御して作動油供給排出弁１１０の閉弁を禁止するＥＣＵ１４０を備える。
【０１３１】
したがって、変速比が所定変速比より小さい、又は、車両１０が停止する際の制動力が所定制動力より大きかった場合にＥＣＵ１４０により作動油供給排出弁１１０の閉弁を禁止することで、例えば、車両１０の急停止によってベルト式無段変速機２２２の変速比が最大変速比近傍までダウンシフトされていない可能性のある場合などに、このベルト式無段変速機２２２の変速比が車両１０の良好な発進性を確保できない小さな変速比に固定されてしまうことを防止することができるので、さらにドライバビリティを向上することができ、さらに信頼性を向上することができる。
【０１３２】
なお、図１１は、本発明の変形例２に係るベルト式無段変速機の低車速時閉弁制御を説明するフローチャートである。
【０１３３】
変形例２に係るベルト式無段変速機２２２Ａは、図１１に示すように、ＥＣＵ１４０により油圧制御装置１３０を制御することで作動油供給排出弁１１０の閉弁を禁止した後に（Ｓ２０８）、閉じ込み制御（Ｓ２１０、図９参照）に代えて、セカンダリ油圧室６４への供給油圧を上昇させる制御（Ｓ２１０Ａ）を実行してもよい。
【０１３４】
この場合、セカンダリ油圧室６４の油圧が上昇することで、セカンダリ可動シーブ６３をセカンダリ固定シーブ６２側に押圧する押圧力が上昇し、セカンダリ可動シーブ６３がセカンダリ固定シーブ６２側に摺動する。これにより、ベルトスリップを確実に防止することができ、また、セカンダリプーリ６０におけるベルト８０の接触半径が増加すると共に、ベルト張力が増加しベルト８０からプライマリ可動シーブ５３に作用するベルト反力も増加することから、プライマリ可動シーブ５３がプライマリ固定シーブ５２側と反対側に摺動し、プライマリプーリ５０におけるベルト８０の接触半径が減少する。この結果、変速比が増加され、増加変速比となり、ダウンシフトが実行され、ベルト式無段変速機２２２Ａの変速比を良好な発進性を確保できる最大変速比近傍までダウンシフトさせることができる。よって、発進性を向上することができ、さらにドライバビリティを向上することができ、さらに信頼性を向上することができる。
【０１３５】
なお、上述した本発明の実施形態に係るベルト式無段変速機は、上述した実施形態に限定されず、特許請求の範囲に記載された範囲で種々の変更が可能である。
【０１３６】
以上の説明では、変速比検出手段は、入力回転数センサ１５０、出力回転数センサ１６０であるものとして説明したがこれに限らず、種々の公知の変速比検出手段を用いればよい。
【０１３７】
以上の説明では、作動油供給排出弁１１０は、供給排出経路の一部をなす第２油路１０２に設けられるものとして説明したが、供給排出経路の一部をなす第１油路８６に設けられていてもよい。つまり、作動油供給排出弁１１０は、プライマリシャフト５１の内部の第１油路８６に設けられていてもよい。この場合、例えば、アクチュエータ１２０も作動油供給排出弁１１０と同様にプライマリシャフト５１の内部の第１油路８６に設けるようにすればよい。つまり、作動油供給排出弁１１０とアクチュエータ１２０とからなる切換機構１００をプライマリシャフト５１の内部にプライマリシャフト５１と同軸上に設けてもよい。
【産業上の利用可能性】
【０１３８】
以上のように、本発明に係るベルト式無段変速機は、ドライバビリティを向上することができるものであり、種々のベルト式無段変速機に適用して好適である。
【図面の簡単な説明】
【０１３９】
【図１】本発明の実施形態１に係るベルト式無段変速機を搭載する車両の概略構成図である。
【図２−１】本発明の実施形態１に係るベルト式無段変速機のプライマリプーリの概略構成を示す模式的断面図である。
【図２−２】本発明の実施形態１に係るベルト式無段変速機のプライマリプーリの概略構成を示す模式的断面図である。
【図３】本発明の実施形態１に係るベルト式無段変速機の油圧制御装置の概略構成を模式的に示す概念図である。
【図４】本発明の実施形態１に係るベルト式無段変速機の低車速時閉弁制御を説明するフローチャートである。
【図５】本発明の実施形態１に係るベルト式無段変速機の低車速時閉弁制御の一例を説明するタイムチャートである。
【図６】本発明の変形例１に係るベルト式無段変速機の低車速時閉弁制御を説明するフローチャートである。
【図７】本発明の変形例１に係るベルト式無段変速機の低車速時閉弁制御の一例を説明するタイムチャートである。
【図８】本発明の実施形態２に係るベルト式無段変速機の油圧制御装置の概略構成を模式的に示す概念図である。
【図９】本発明の実施形態２に係るベルト式無段変速機の低車速時閉弁制御を説明するフローチャートである。
【図１０】本発明の実施形態２に係るベルト式無段変速機の低車速時閉弁制御の一例を説明するタイムチャートである。
【図１１】本発明の変形例２に係るベルト式無段変速機の低車速時閉弁制御を説明するフローチャートである。
【符号の説明】
【０１４０】
１０    車両
１２    内燃機関（駆動源）
２２、２２Ａ、２２２、２２２Ａ    ベルト式無段変速機
３４    駆動輪
５０    プライマリプーリ（プーリ）
５４    プライマリ油圧室（挟圧力発生油圧室）
６０    セカンダリプーリ（プーリ）
６４    セカンダリ油圧室（挟圧力発生油圧室）
８０    ベルト
８６    第１油路（供給排出経路）
１０２    第２油路（供給排出経路）
１１０    作動油供給排出弁
１２０    アクチュエータ
１２２    ピストン
１２４    駆動油圧室
１３０    油圧制御装置（油圧制御手段）
１４０    ＥＣＵ（禁止手段）
１５０    入力回転数センサ（変速比検出手段）
１６０    出力回転数センサ（変速比検出手段）
【図１】
2010065759.tif 000003
【図２−１】
2010065759.tif 000004
【図２−２】
2010065759.tif 000005
【図３】
2010065759.tif 000006
【図４】
2010065759.tif 000007
【図５】
2010065759.tif 000008
【図６】
2010065759.tif 000009
【図７】
2010065759.tif 000010
【図８】
2010065759.tif 000011
【図９】
2010065759.tif 000012
【図１０】
2010065759.tif 000013
【図１１】
2010065759.tif 000014